(57)【要約】  本発明は、モデムダイヤルアップのための方法およびブロードバンドデバイスを提供する。本方法は、ブロードバンドデバイスによって、ワイヤレスネットワーク側デバイスの第1のリンク制御プロトコルLCP要求メッセージを受信するステップと、第1のLCP要求メッセージの拡張認証プロトコルEAP認証フィールドを、ダイヤルアップ端末によってサポートされる認証フィールドに処理するステップと、処理された第1のLCP要求メッセージをダイヤルアップ端末に送るステップと、ダイヤルアップ端末によって返された第1のLCP応答メッセージを受信するステップと、第1のLCP応答メッセージの認証フィールドを、ワイヤレスネットワーク側デバイスによってサポートされる認証フィールドに処理するステップと、処理された第1のLCP応答メッセージをワイヤレスネットワーク側デバイスに送るステップと、ワイヤレスネットワーク側デバイスからインターネットプロトコルIPアドレスを収集するステップと、IPアドレスを前記ダイヤルアップ端末に送るステップとを含む。このようにして、ダイヤルアップ端末は、既存のプロトコルを使用することによってeHRPDネットワークとの通信を実施することができる。
2016525855.tif 000002
【特許請求の範囲】
【請求項１】
モデムダイヤルアップのための方法であって、
ブロードバンドデバイスによって、ワイヤレスネットワーク側デバイスの第1のリンク制御プロトコルLCP要求メッセージを受信するステップと、
前記第1のLCP要求メッセージの拡張認証プロトコルEAP認証フィールドを、ダイヤルアップ端末によってサポートされる認証フィールドに処理するステップと、
処理された第1のLCP要求メッセージを前記ダイヤルアップ端末に送るステップと、
前記ダイヤルアップ端末によって返された第1のLCP応答メッセージを受信するステップと、
前記第1のLCP応答メッセージの認証フィールドを、前記ワイヤレスネットワーク側デバイスによってサポートされる認証フィールドに処理するステップと、
処理された第1のLCP応答メッセージを前記ワイヤレスネットワーク側デバイスに送るステップと、
前記ワイヤレスネットワーク側デバイスからインターネットプロトコルIPアドレスを収集するステップと、前記IPアドレスを前記ダイヤルアップ端末に送るステップと
を含む、モデムダイヤルアップのための方法。
【請求項２】
前記第1のLCP要求メッセージのEAP認証フィールドを、ダイヤルアップ端末によってサポートされる認証フィールドに処理する前記ステップは、
前記ブロードバンドデバイスによって、前記EAP認証フィールドを削除するステップを含み、
前記第1のLCP応答メッセージの認証フィールドを、前記ワイヤレスネットワーク側デバイスによってサポートされる認証フィールドに処理する前記ステップは、
前記ブロードバンドデバイスによって、前記EAP認証フィールドを前記第1の応答メッセージ中に追加するステップを含む、
請求項1に記載の方法。
【請求項３】
前記第1のLCP要求メッセージのEAP認証フィールドを、ダイヤルアップ端末によってサポートされる認証フィールドに処理する前記ステップは、
前記ブロードバンドデバイスによって、前記EAP認証フィールドをパスワード認証プロトコルPAPまたはチャレンジハンドシェイク認証プロトコルCHAP認証フィールドと交換するステップを含み、
前記第1のLCP応答メッセージの認証フィールドを、前記ワイヤレスネットワーク側デバイスによってサポートされる認証フィールドに処理する前記ステップは、
前記ブロードバンドデバイスによって、前記第1のLCP応答メッセージ中の前記PAPまたはCHAP認証フィールドを前記EAP認証フィールドと交換するステップを含み、前記第1のLCP応答メッセージは前記ダイヤルアップ端末によって返される、
請求項1に記載の方法。
【請求項４】
前記ワイヤレスネットワーク側デバイスからインターネットプロトコルIPアドレスを収集する前記ステップは、
前記第1のLCP応答メッセージ中の前記処理された認証フィールドに従って前記ブロードバンドデバイスと前記ワイヤレスネットワーク側デバイスとの間でEAP認証を実施するステップと、
前記ブロードバンドデバイスが前記ブロードバンドデバイスと前記ワイヤレスネットワーク側デバイスとの間で前記EAP認証を完了した後に、前記インターネットプロトコルIPアドレスを収集するために前記ワイヤレスネットワーク側デバイスとのベンダー固有ネットワーク制御プロトコルVSNPネゴシエーションを実施するステップと
を含む、請求項1から3のいずれか一項に記載の方法。
【請求項５】
前記IPアドレスを前記ダイヤルアップ端末に送る前記ステップは、
前記ブロードバンドデバイスと前記ダイヤルアップ端末との間で前記インターネットプロトコルIP制御プロトコルIPCPを使用することによって前記IPアドレスを前記ダイヤルアップ端末に送るステップ
を含む、請求項1から4のいずれか一項に記載の方法。
【請求項６】
モデムダイヤルアップのためのブロードバンドデバイスであって、
ワイヤレスネットワーク側デバイスの第1のリンク制御プロトコルLCP要求メッセージを受信するように受信機を制御するように構成され、前記受信機によって受信された前記第1のLCP要求メッセージを第1のフィールド処理ユニットに送る、要求受信ユニットと、
前記要求受信ユニットによって送られた前記第1のLCP要求メッセージの拡張認証プロトコルEAP認証フィールドを、ダイヤルアップ端末によってサポートされる認証フィールドに処理する、前記第1のフィールド処理ユニットと、
前記第1のフィールド処理ユニットによって処理された前記第1のLCP要求メッセージを前記ダイヤルアップ端末に送るように送信機を制御する、要求送信ユニットと、
前記ダイヤルアップ端末によって返された第1のLCP応答メッセージを受信するように前記受信機を制御するように構成され、前記受信機によって受信された前記第1のLCP応答メッセージを第2のフィールド処理ユニットに送る、肯定応答受信ユニットと、
前記肯定応答受信ユニットによって送られた前記第1のLCP応答メッセージの認証フィールドを、前記ワイヤレスネットワーク側デバイスによってサポートされる認証フィールドに処理する、前記第2のフィールド処理ユニットと、
前記第2のフィールド処理ユニットによって処理された前記第1のLCP応答メッセージを前記ワイヤレスネットワーク側デバイスに送るように前記送信機を制御する、肯定応答送信ユニットと、
前記ワイヤレスネットワーク側デバイスからインターネットプロトコルIPアドレスを収集する、アドレス収集ユニットと、
前記アドレス収集ユニットによって収集された前記IPアドレスを前記ダイヤルアップ端末に送るように前記送信機を制御する、アドレス送信ユニットと
を備える、モデムダイヤルアップのためのブロードバンドデバイス。
【請求項７】
前記第1のフィールド処理ユニットは、前記EAP認証フィールドを削除するように特に構成され、
前記第2のフィールド処理ユニットは、前記EAP認証フィールドを前記第1のLCP応答メッセージ中に追加するように特に構成される、
請求項6に記載のブロードバンドデバイス。
【請求項８】
前記第1のフィールド処理ユニットは、前記EAP認証フィールドをパスワード認証プロトコルPAPまたはチャレンジハンドシェイク認証プロトコルCHAP認証フィールドと交換するように特に構成され、前記第2のフィールド処理ユニットは、前記第1のLCP応答メッセージ中の前記PAPまたはCHAP認証フィールドを前記EAP認証フィールドと交換するように特に構成され、前記第1のLCP応答メッセージは前記ダイヤルアップ端末によって返される、請求項6に記載のブロードバンドデバイス。
【請求項９】
前記肯定応答送信ユニットが前記処理された第1のLCP応答メッセージを前記ワイヤレスネットワーク側デバイスに送るように前記送信機を制御した後に、前記第1の肯定応答メッセージ中の前記処理された認証フィールドに従って前記ブロードバンドデバイスと前記ワイヤレスネットワーク側デバイスとの間でEAP認証を実施する、認証ユニットをさらに備え、
前記アドレス収集ユニットは、前記認証ユニットが前記ブロードバンドデバイスと前記ワイヤレスネットワーク側デバイスとの間で前記EAP認証を完了した後に、前記インターネットプロトコルIPアドレスを収集するために前記ワイヤレスネットワーク側デバイスとのベンダー固有ネットワーク制御プロトコルVSNPネゴシエーションを実施するようにさらに構成される、
請求項6から8のいずれか一項に記載のブロードバンドデバイス。
【請求項１０】
前記アドレス送信ユニットは、前記ダイヤルアップ端末とともに前記インターネットプロトコルIP制御プロトコルIPCPを使用することによって前記IPアドレスを前記ダイヤルアップ端末に送るように前記送信機を制御するように特に構成される、請求項6から9のいずれか一項に記載のブロードバンドデバイス。
【発明の詳細な説明】
【技術分野】
【０００１】
本出願は、その全体が参照により本明細書に組み込まれる、2013年8月15日に中国特許庁で出願され「モデムダイヤルアップのための方法およびブロードバンドデバイス」と題する、中国特許出願第CN201310356543.2号の優先権を主張する。
【０００２】
本発明は、ネットワーク通信技術の分野に関し、詳細には、モデムダイヤルアップのための方法およびブロードバンドデバイスに関する。
【背景技術】
【０００３】
モバイルブロードバンドサービスでは、コンピュータのダイヤルアップインターネットアクセスを実装するために、ネットワークと、コンピュータなどの端末との間の中間エンティティとしてブロードバンドデバイスが使用される。
【０００４】
符号分割多元接続（Code Division Multiple Access、CDMA）とエボリューションデータオンリー（Evolution Data Only、EVDO）とのネットワーク環境では、端末は、モデム（Modem）ダイヤルアップの様式でダイヤルアップインターネットアクセスを実施する。具体的には、端末は、ブロードバンドデバイスを使用して、ブロードバンドデバイスとネットワークとの間で、リンク制御プロトコル（Link Control Protocol、LCP）ネゴシエーションおよび認証、ならびにインターネットプロトコル（Internet Protocol、IP）制御プロトコル（IP Control Protocol、IPCP）ネゴシエーションを実施し、最終的にダイヤルアップインターネットアクセスを実装する。
【０００５】
しかしながら、ワイヤレスネットワーク技術の進展とともに、CMDAはEVDOから発展型高速パケットデータ（evolved High Rate Packet Data、eHRPD）ネットワークに発展し、eHRPDネットワーク環境では、ネットワーク側は、端末がモデムダイヤルアップの様式でダイヤルアップインターネットアクセスの目的を達成し得るように、端末とのEAP認証およびベンダー固有ネットワーク制御プロトコル（Vendor−Specific Network Control Protocol、VSNCP）ネゴシエーションを実施する必要がある。しかしながら、端末は、拡張認証プロトコル（Extensible Authentication Protocol、EAP）認証およびVSNCPプロトコルをサポートせず、したがって、端末はモデムダイヤルアップの様式でダイヤルアップインターネットアクセスを実施することができない。
【発明の概要】
【課題を解決するための手段】
【０００６】
この点から見て、本発明の実施形態は、eHRPDネットワーク環境においてモデムダイヤルアップが実施され得ないという技術的問題を解決するために、モデムダイヤルアップのための方法およびブロードバンドデバイスを提供する。
【０００７】
第1の態様によれば、モデムダイヤルアップのための方法が提供され、本方法は、
ブロードバンドデバイスによって、ワイヤレスネットワーク側デバイスの第1のリンク制御プロトコルLCP要求メッセージを受信するステップと、
第1のLCP要求メッセージの拡張認証プロトコルEAP認証フィールドを、ダイヤルアップ端末によってサポートされる認証フィールドに処理するステップと、
処理された第1のLCP要求メッセージをダイヤルアップ端末に送るステップと、
ダイヤルアップ端末によって返された第1のLCP応答メッセージを受信するステップと、
第1のLCP応答メッセージの認証フィールドを、ワイヤレスネットワーク側デバイスによってサポートされる認証フィールドに処理するステップと、
処理された第1のLCP応答メッセージをワイヤレスネットワーク側デバイスに送るステップと、
ワイヤレスネットワーク側デバイスからインターネットプロトコルIPアドレスを収集するステップと、IPアドレスをダイヤルアップ端末に送るステップと
を含む。
【０００８】
第1の態様に関して、第1の態様の第1の可能な実装様式では、
第1のLCP要求メッセージのEAP認証フィールドを、ダイヤルアップ端末によってサポートされる認証フィールドに処理するステップは、
ブロードバンドデバイスによって、EAP認証フィールドを削除するステップを含み、
第1のLCP応答メッセージの認証フィールドを、ワイヤレスネットワーク側デバイスによってサポートされる認証フィールドに処理するステップは、
ブロードバンドデバイスによって、EAP認証フィールドを第1の応答メッセージ中に追加するステップを含む。
【０００９】
第1の態様の第1の可能な実装様式に関して、第1の態様の第2の可能な実装様式では、
第1のLCP要求メッセージのEAP認証フィールドを、ダイヤルアップ端末によってサポートされる認証フィールドに処理するステップは、
ブロードバンドデバイスによって、EAP認証フィールドをパスワード認証プロトコルPAPまたはチャレンジハンドシェイク認証プロトコルCHAP認証フィールドと交換するステップを含み、
第1のLCP応答メッセージの認証フィールドを、ワイヤレスネットワーク側デバイスによってサポートされる認証フィールドに処理するステップは、
ブロードバンドデバイスによって、第1のLCP応答メッセージ中のPAPまたはCHAP認証フィールドをEAP認証フィールドと交換するステップを含み、第1のLCP応答メッセージはダイヤルアップ端末によって返される。
【００１０】
第1の態様、あるいは第1の態様の第1または第2の可能な実装様式に関して、第1の態様の第3の可能な実装様式では、
ワイヤレスネットワーク側デバイスからインターネットプロトコルIPアドレスを収集するステップは、第1の肯定応答メッセージ中の処理された認証フィールドに従ってブロードバンドデバイスとワイヤレスネットワーク側デバイスとの間でEAP認証を実施するステップと、
ブロードバンドデバイスがブロードバンドデバイスとワイヤレスネットワーク側デバイスとの間のEAP認証を完了した後に、インターネットプロトコルIPアドレスを収集するためにワイヤレスネットワーク側デバイスとのベンダー固有ネットワーク制御プロトコルVSNPネゴシエーションを実施するステップと
を含む。
【００１１】
第1の態様、あるいは第1の態様の第1から第3の可能な実装様式のいずれか1つに関して、第1の態様の第4の可能な実装様式では、
IPアドレスをダイヤルアップ端末に送るステップは、
ブロードバンドデバイスとダイヤルアップ端末との間でインターネットプロトコルIP制御プロトコルIPCPを使用することによってIPアドレスをダイヤルアップ端末に送るステップを含む。
【００１２】
第2の態様によれば、モデムダイヤルアップのためのブロードバンドデバイスが提供され、本デバイスは、
ワイヤレスネットワーク側デバイスの第1のリンク制御プロトコルLCP要求メッセージを受信するように受信機を制御するように構成され、受信機によって受信された第1のLCP要求メッセージを第1のフィールド処理ユニットに送る、要求受信ユニットと、
要求受信ユニットによって送られた第1のLCP要求メッセージの拡張認証プロトコルEAP認証フィールドを、ダイヤルアップ端末によってサポートされる認証フィールドに処理する、第1のフィールド処理ユニットと、
第1のフィールド処理ユニットによって処理された第1のLCP要求メッセージをダイヤルアップ端末に送るように送信機を制御する、要求送信ユニットと、
ダイヤルアップ端末によって返された第1のLCP応答メッセージを受信するように受信機を制御するように構成され、受信機によって受信された第1のLCP応答メッセージを第2のフィールド処理ユニットに送る、肯定応答受信ユニットと、
肯定応答受信ユニットによって送られた第1のLCP応答メッセージの認証フィールドを、ワイヤレスネットワーク側デバイスによってサポートされる認証フィールドに処理する、第2のフィールド処理ユニットと、
第2のフィールド処理ユニットによって処理された第1のLCP応答メッセージをワイヤレスネットワーク側デバイスに送るように送信機を制御する、肯定応答送信ユニットと、
ワイヤレスネットワーク側デバイスからインターネットプロトコルIPアドレスを収集する、アドレス収集ユニットと、
アドレス収集ユニットによって収集されたIPアドレスをダイヤルアップ端末に送るように送信機を制御する、アドレス送信ユニットと
を含む。
【００１３】
第2の態様に関して、第2の態様の第1の可能な実装様式では、
第1のフィールド処理ユニットは、EAP認証フィールドを削除するように特に構成され、
第2のフィールド処理ユニットは、EAP認証フィールドを第1のLCP応答メッセージ中に追加するように特に構成される。
【００１４】
第2の態様に関して、第2の態様の第2の可能な実装様式では、
第1のフィールド処理ユニットは、EAP認証フィールドをパスワード認証プロトコルPAPまたはチャレンジハンドシェイク認証プロトコルCHAP認証フィールドと交換するように特に構成され、
第2のフィールド処理ユニットは、第1のLCP応答メッセージ中のPAPまたはCHAP認証フィールドをEAP認証フィールドと交換するように特に構成され、第1のLCP応答メッセージはダイヤルアップ端末によって返される。
【００１５】
第2の態様の第1または第2の可能な実装様式に関して、第2の態様の第3の可能な実装様式では、
ブロードバンドデバイスは、
肯定応答送信ユニットが、処理された第1のLCP応答メッセージをワイヤレスネットワーク側デバイスに送るように送信機を制御した後に、第1の肯定応答メッセージ中の処理された認証フィールドに従ってブロードバンドデバイスとワイヤレスネットワーク側デバイスとの間でEAP認証を実施する、認証ユニットをさらに含み、
アドレス収集ユニットは、認証ユニットがブロードバンドデバイスとワイヤレスネットワーク側デバイスとの間でEAP認証を完了した後に、インターネットプロトコルIPアドレスを収集するためにワイヤレスネットワーク側デバイスとのベンダー固有ネットワーク制御プロトコルVSNPネゴシエーションを実施するようにさらに構成される。
【００１６】
第2の態様、あるいは第2の態様の第1から第3の可能な実装様式のいずれか1つに関して、第2の態様の第4の可能な実装様式では、
アドレス送信ユニットは、ダイヤルアップ端末とともにインターネットプロトコルIP制御プロトコルIPCPを使用することによってIPアドレスをダイヤルアップ端末に送るように送信機を制御するように特に構成される。
【００１７】
上記の実施形態において提供されたモデムダイヤルアップのための方法およびブロードバンドデバイスによれば、ブロードバンドデバイスは、認証フィールドを、ダイヤルアップ端末とネットワーク側デバイスとによってサポートされる認証フィールドに処理し、ワイヤレスネットワーク側デバイスから取得されたIPアドレスをダイヤルアップ端末に送り、したがって、ダイヤルアップ端末は、ダイヤルアップ端末によってサポートされるプロトコルを使用することができ、すなわち、ダイヤルアップ端末は、eHRPDネットワークとの通信を実施するために既存のプロトコルを使用することができる。
【図面の簡単な説明】
【００１８】
本発明の実施形態における技術的解決策についてより明らかに説明するために、以下で、本実施形態について説明するために必要とされる添付の図面を手短に紹介する。明らかに、以下の説明における添付の図面は本発明のいくつかの実施形態を示すものにすぎず、当業者なら、創造的な取り組みなしにこれらの添付の図面から他の図面をさらに導出するであろう。
【００１９】
【図１】本発明の一実施形態によるモデムダイヤルアップのための方法のフローチャートである。
【図２】本発明の別の実施形態によるモデムダイヤルアップのための方法のシグナリングフローチャートである。
【図３】本発明の別の実施形態によるモデムダイヤルアップのための方法におけるPCとブロードバンドデバイスとの間の認証のシグナリングフローチャートである。
【図４】本発明の別の実施形態によるモデムダイヤルアップのためのブロードバンドデバイスの概略構造図である。
【図５】本発明の別の実施形態によるモデムダイヤルアップのためのブロードバンドデバイスの概略構造図である。
【発明を実施するための形態】
【００２０】
本発明の目的、技術的解決策、および利点をより明らかにするために、以下で、添付の図面を参照しながら本発明についてさらに詳細に説明する。明らかに、説明する実施形態は、本発明の実施形態のすべてではなく、そのいくつかにすぎない。創造的な取り組みなしに本発明の実施形態に基づいて当業者によって取得されるすべての他の実施形態は、本発明の保護範囲内に入る。
【００２１】
図1は、本発明の一実施形態によるモデムダイヤルアップのための方法のフローチャートである。モデムダイヤルアップのための方法は、具体的には以下を含む。
【００２２】
ステップ11：ブロードバンドデバイスが、ワイヤレスネットワーク側デバイスの第1のリンク制御プロトコル（LCP）要求メッセージを受信する。
【００２３】
ステップ12：第1のLCP要求メッセージの拡張認証プロトコル（EAP）認証フィールドを、ダイヤルアップ端末によってサポートされる認証フィールドに処理する。
【００２４】
例えば、ブロードバンドデバイスはEAP認証フィールドを削除するか、あるいは、例えば、ブロードバンドデバイスは、EAP認証フィールドをパスワード認証プロトコル（Password Authentication Protocol、PAP）またはチャレンジハンドシェイク認証プロトコル（Challenge Handshake Authentication Protocol、CHAP）認証フィールドと交換する。
【００２５】
ステップ13：処理された第1のLCP要求メッセージをダイヤルアップ端末に送る。
【００２６】
ステップ14：ダイヤルアップ端末によって返された第1のLCP応答メッセージを受信する。
【００２７】
ステップ15：第1のLCP応答メッセージの認証フィールドを、ワイヤレスネットワーク側デバイスによってサポートされる認証フィールドに処理する。
【００２８】
例えば、ブロードバンドデバイスがステップ12においてEAP認証フィールドを削除するとき、ブロードバンドデバイスは、EAP認証フィールドを第1のLCP応答メッセージ中に追加する。
【００２９】
代替的に、例えば、ブロードバンドデバイスがステップ12においてEAP認証フィールドをパスワード認証プロトコル（PAP）またはチャレンジハンドシェイク認証プロトコル（CHAP）認証フィールドと交換するとき、ブロードバンドデバイスは、第1のLCP応答メッセージ中のPAPまたはCHAP認証フィールドをEAP認証フィールドと交換し、第1のLCP応答メッセージはダイヤルアップ端末によって返される。
【００３０】
ステップ16：処理された第1のLCP応答メッセージをワイヤレスネットワーク側デバイスに送る。次いで、ブロードバンドデバイスは、ブロードバンドデバイスとワイヤレスネットワーク側デバイスとの間でEAP認証を実施し得る。認証が成功した後に、ブロードバンドデバイスは、ワイヤレスネットワーク側デバイスとのVSNPネゴシエーションを実施し得る。
【００３１】
ステップ17：ワイヤレスネットワーク側デバイスからインターネットプロトコル（Internet Protocol、IP）アドレスを収集し、IPアドレスをダイヤルアップ端末に送る。
【００３２】
例えば、ブロードバンドデバイスは、ワイヤレスネットワーク側デバイスとのVSNPネゴシエーションを実施することによってIPアドレスを取得し得る。
【００３３】
IPアドレスがダイヤルアップ端末に送られるとき、IPアドレスは、ブロードバンドデバイスとダイヤルアップ端末との間でインターネットプロトコルIP制御プロトコルIPCPを使用することによってダイヤルアップ端末に送られる。
【００３４】
この実施形態において提供されるモデムダイヤルアップのための方法によれば、ブロードバンドデバイスは、LCP要求および肯定応答メッセージ中の認証フィールドを処理し、ワイヤレスネットワーク側デバイスから取得されたIPアドレスをダイヤルアップ端末に送り、したがって、ダイヤルアップ端末は、ダイヤルアップ端末によってサポートされるプロトコルを使用し、すなわち、ダイヤルアップ端末は、eHRPDネットワークとの通信を実施するために既存のプロトコルを使用することができる。このようにして、新しいプロトコルが従来技術に追加される必要があるので、既存のダイヤルアップ端末とeHRPDネットワークとの間の通信のコストが増加し、実装が複雑であるという問題が解決される。ブロードバンドデバイスのみが改善される必要があり、ダイヤルアップ端末は変更される必要がなく、これにより、コストが低減し、実装されるのが容易になる。
【００３５】
図2は、本発明の別の実施形態によるモデムダイヤルアップのための方法のシグナリングフローチャートである。この実施形態におけるモデムダイヤルアップのための方法は、eHRPDネットワーク環境におけるものであり、
パーソナルコンピュータ（Personal Computer、PC）とネットワーク（Network、NW）との間のLCPネゴシエーションプロセス（説明しやすいように、以下ではP1プロセスと呼ぶ）、ただし、NWはeHRPDネットワークである、
ブロードバンドデバイスとNWとの間のEAPネゴシエーションプロセス（説明しやすいように、以下ではP2プロセスと呼ぶ）、
PCとブロードバンドデバイスとの間の認証ネゴシエーションプロセス（説明しやすいように、以下ではP3プロセスと呼ぶ）、
ブロードバンドデバイスとNWとの間のVSNCPネゴシエーションプロセス（説明しやすいように、以下ではP4プロセスと呼ぶ）、および
PCとブロードバンドデバイスとの間のIPCPネゴシエーションプロセス（説明しやすいように、以下ではP5プロセスと呼ぶ）
を含む。
【００３６】
P1プロセスは、ブロードバンドデバイスとPCとの間の第1のLCPネゴシエーションプロセス、およびブロードバンドデバイスとネットワーク側との間の第2のLCPネゴシエーションプロセスを含み、具体的には以下を含む。
【００３７】
ステップ211：PCが、ブロードバンドデバイスにLCP要求（LCP Request、LCP Req）メッセージを送る。
【００３８】
PPPプロトコルでは、2つの通信者がパラメータネゴシエーションを実施するとき、両者はネゴシエーション要求メッセージを開始する必要がある。ネゴシエーション要求メッセージは、送信者がネゴシエートすることを期待するというコンテンツを搬送する。PPPプロトコルの規定によれば、多くのネゴシエート可能なコンテンツがあり、例えば、最大受信データユニット（Maximum−Receive−Unit）、使用されるべき認証プロトコル（Authentication−Protocol）がある。これらのパラメータは、二者の他の後続の通信プロセスに影響を及ぼし得る。ポイントツーポイントプロトコル（Point−to−Point Protocol、PPP）プロトコルでは、「LCP Packet Formats」の章において、LCP Reqメッセージは構成要求（Configure−Request）メッセージとも呼ばれる。
【００３９】
ステップ212：ブロードバンドデバイスは、PCによって送られたLCP Reqメッセージを、そのLCP Reqメッセージを修正せずにNWに直接転送する。
【００４０】
ステップ213：NWは、LCP Reqメッセージをブロードバンドデバイスに送る。
【００４１】
ステップ214：ブロードバンドデバイスは、LCP Reqメッセージ中のコンテンツを変更する。ここで、ブロードバンドデバイスは、LCP Reqメッセージ中のEAP認証を削除し（すなわち、LCP Reqメッセージから認証関係のフィールドを除去し）、次いで、EAP認証が削除されたLCP ReqメッセージをPCに転送する。
【００４２】
ステップ215：ステップ214においてブロードバンドデバイスによって送られたLCP Reqメッセージを受信した後に、PCは、ブロードバンドデバイスにLCP肯定応答（LCP Ack）メッセージを送る。
【００４３】
PPPプロトコルでは、LCP Reqメッセージを受信する者が、LCP Reqメッセージのコンテンツが合法的であるかどうか、およびLCP Reqメッセージ中のすべての特定の値が受信され得るかどうかを判定し、はいの場合、他者がネゴシエートすることをその上で期待する、LCP Reqメッセージ中のコンテンツが容認されることを示すLCP Ackメッセージを他者に送る。さらに、LCP Ackメッセージは、他者によって送られたLCP Reqメッセージのコンテンツを搬送し、すなわち、LCP Reqメッセージのコンテンツは他者に返される。PPPプロトコルの「LCP Packet Formats」の章では、LCP Reqメッセージは構成肯定応答（Configure−Ack）メッセージとも呼ばれる。
【００４４】
ステップ216：ブロードバンドデバイスは、LCP Ackメッセージのコンテンツを変更する。ここで、上記のステップ214において削除されたフィールドコンテンツに対応して、ブロードバンドデバイスは、LCP Ackメッセージ中にEAP認証フィールドを追加し、次いで、EAP認証フィールドがその中に追加されたLCP AckメッセージをNWに転送する。
【００４５】
ステップ217：NWは、LCP Ackメッセージをブロードバンドデバイスに送る。
【００４６】
ステップ218：ブロードバンドデバイスは、NWによって送られたLCP Ackメッセージを、そのLCP Ackのコンテンツを修正せずにPCに転送する。
【００４７】
LCP ReqメッセージとLCP Ackメッセージとを送るシーケンスは、ステップの上記のシーケンスに限定されず、実際の状況に応じて決定され得る。例えば、ステップ213はステップ211の前に実施され得、またはそれら2つは同時に実施され得る。
【００４８】
P1プロセスでは、PCとブロードバンドデバイスとNWとの間で交換されるメッセージのタイプおよびフォーマットは、PPPプロトコルなど、関係するプロトコルの規定に完全に準拠する。
【００４９】
P2プロセスは、具体的には以下を含む。
【００５０】
ステップ221：NWは、ブロードバンドデバイスに識別情報要求（Req ID）メッセージを送る。
【００５１】
EAPプロトコルでは、認証中にユーザ識別情報が確認される必要がある。具体的には、図2において、NW（すなわち、オーセンティケータ）は、ブロードバンドデバイス（すなわち、被認証者）に、識別情報確認要求メッセージ、すなわち、Req ID要求メッセージ）を送る。標準プロトコルでは、Req ID要求メッセージは識別情報（Identity）タイプメッセージとも呼ばれる。
【００５２】
ステップ222：ブロードバンドデバイスは、NWに識別情報応答（Rsp ID）メッセージを返す。
【００５３】
EAPプロトコルでは、ユーザ識別情報の確認中に、識別情報確認要求メッセージを受信する者が、自己関係の情報を他者に送る。具体的には、図2では、すなわち、ブロードバンドデバイス（すなわち、被認証者）が、NW（すなわち、認証者）に、識別情報確認応答メッセージ、すなわち、Rsp ID応答メッセージを送る。標準プロトコルでは、Rsp ID応答メッセージはIdentityタイプメッセージとも呼ばれる。
【００５４】
ステップ223：NWは、ブロードバンドデバイスにReq EAP−AKA要求メッセージを送る。
【００５５】
Req EAP−AKA要求メッセージは、認証者がEAP−AKA認証方法でEAP−AKA認証を実施することを要求するとき、認証者によって被認証者に送られるメッセージである。Req EAP−AKA要求メッセージは、認証者によって被認証者に送られる特定の認証情報を含む。
【００５６】
実際のプロセスはEAP−AKA認証方法に限定されず、EAP−SIM認証などの別の認証方法も使用され得る。
【００５７】
ステップ224：ブロードバンドデバイスは、NWにRsp EAP−AKA応答メッセージを返す。
【００５８】
EAP−AKA認証方法では、Req EAP−AKA要求メッセージを受信した後に、被認証者は、認証者に、Req EAP−AKAの応答メッセージ、すなわち、Rsp EAP−AKA応答メッセージを返す。
【００５９】
ステップ225：NWは、EAP認証プロセスが成功することを示すEAP成功（EAP Success）メッセージをブロードバンドデバイスに送る。
【００６０】
P2プロセスでは、ブロードバンドデバイスとNWとの間で交換されるメッセージのタイプおよびフォーマットは、EAPなど、関係するプロトコルの規定に完全に準拠する。
【００６１】
P4プロセスは、具体的には以下を含む。
【００６２】
ステップ241：ブロードバンドデバイスは、NWにVSNCP要求（VSNCP Req）メッセージを送る。
【００６３】
VSNCP関係のプロトコルによれば、VSNCPネゴシエーションプロセスにおいて使用されるパケット交換機構は、LCPネゴシエーションプロセスにおいて使用されるパケット交換機構と同じであるが、ネゴシエーションコンテンツのみが異なる。VSNCPネゴシエーションプロセスでは、ネゴシエーションの各者は、他者にVSNCP Reqメッセージを送る必要があり、VSNCP Reqメッセージを受信した後に、他者は、対応するVSNCP応答メッセージ（VSNCP Rspメッセージ）を返す。
【００６４】
ステップ242：NWは、ブロードバンドデバイスにVSNCP Rspを送り、この場合、ブロードバンドデバイスは、NWによって割り振られたIPアドレスを取得している。
【００６５】
上記のVSNCP Reqメッセージに対応して、VSNCP Rspメッセージは、VSNCP Reqメッセージの応答メッセージである。例えば、図2では、NWによってブロードバンドデバイスに送られるVSNCP Rspメッセージは、NW側によってPCに割り振られているIPアドレスなどの情報を含む。
【００６６】
ステップ243：NWは、ブロードバンドデバイスにVSNCP Reqメッセージを送る。
【００６７】
ステップ244：ブロードバンドデバイスは、NWにVSNCP Rspメッセージを送る。
【００６８】
P4プロセスでは、ブロードバンドデバイスとNWとの間で交換されるデータパケットのフォーマットおよびタイプは、VSNCPプロトコルなど、関係するプロトコルの規定に完全に準拠する。
【００６９】
この実施形態では、ブロードバンドデバイスがステップ214においてEAP認証コンテンツを削除し、ステップ216においてEAP認証コンテンツをLCP Ackメッセージ中に追加するので、PCとブロードバンドデバイスとの間には認証プロセスがなく、すなわち、P1プロセスの後に、PCは、ブロードバンドデバイスとのIPCPネゴシエーションプロセス（P5プロセス）に直接入る。
【００７０】
P5プロセスは、具体的には以下を含む。
【００７１】
ステップ251：ブロードバンドデバイスは、ブロードバンドデバイスにIPCP Reqメッセージを送る。
【００７２】
IPCP関係のプロトコルの規定によれば、IPCPネゴシエーションプロセスにおいて使用されるパケット交換機構は、LCPネゴシエーションプロセスにおいて使用されるパケット交換機構と同じであるが、ネゴシエーションコンテンツのみが異なる。IPCPネゴシエーションプロセスでは、ネゴシエーションの各者は、他者にIPCP Reqメッセージを送る必要があり、IPCP Reqメッセージを受信した後に、他者は、ネゴシエーションが成功することを示す対応するメッセージ、すなわち、IPCP Ackメッセージを返す。
【００７３】
ステップ252：ブロードバンドデバイスは、IPCP Reqメッセージ中のいくつかのネゴシエーションフィールドを拒否するために、ブロードバンドデバイスにIPCP拒否（IPCP Rej）メッセージを送る。
【００７４】
IPCP Rejメッセージは上記のIPCP Reqメッセージに対応する。IPCP関係のプロトコルの規定によれば、他者のいくつかのネゴシエーションフィールドがサポートされないとき、IPCP Rejメッセージが他者に返される必要があり、返されるIPCP Rejメッセージは、サポートされないフィールドを搬送する。返されたIPCP Rejメッセージを受信した後に、他者は、IPCP Reqメッセージからこれらのフィールドを概して削除し、次いで、再びIPCP Reqメッセージを送る。
【００７５】
ステップ253：ブロードバンドデバイスは、PCにIPCP Reqメッセージを送る。
【００７６】
ステップ254：PCは、ブロードバンドデバイスにIPCP Ackメッセージを送る。IPCP Ackメッセージは、上記のIPCP Reqメッセージに対応し、IPCP Reqメッセージの肯定応答メッセージである。
【００７７】
ステップ255：PCは、再びブロードバンドデバイスにIPCP Reqメッセージを送る。
【００７８】
ステップ256：ブロードバンドデバイスは、（ステップ242を指す）IPアドレスが収集されるかどうかに従って、対応する動作を実施する。
【００７９】
ブロードバンドデバイスがこの時点でIPアドレスを収集している場合、ブロードバンドデバイスは、PCにIPCP Nakメッセージを返し、返されるIPCP Nakメッセージは、収集されたIPアドレスを搬送する。
【００８０】
ブロードバンドデバイスがこの時点でIPアドレスを収集していない場合、ブロードバンドデバイスはタイマーを開始する。タイマーがプリセット時間に達するときまたはタイマーがプリセット時間に達する前に、ブロードバンドデバイスがIPアドレスを収集した場合、ブロードバンドデバイスは、PCにIPCP Nakメッセージを返す。そうでない場合、ブロードバンドデバイスはPCにIPCP Nakメッセージを返さず、PCは、ステップ255を繰り返し、IPCP Reqメッセージを送る。プリセット時間は、PCが再びIPCP Reqメッセージを送る時間よりも小さく、特定の値が製品コミッショニングステータスに応じて決定される。代替的に、ブロードバンドデバイスは、タイマーを開始せず、PCにもIPCP Nakメッセージを返さない。
【００８１】
IPCP Nakメッセージは上記のIPCP Reqメッセージに対応する。IPCP関係のプロトコルの規定によれば、他者のいくつかのネゴシエーションフィールドがサポートされるが、フィールドの特定の値に関して同意されないとき、IPCP Nakメッセージが他者に返される必要がある。返されるIPCP Nakメッセージは、他者がフィールドについて設定されることを期待する特定の値を搬送する。返されたIPCP Nakメッセージを受信した後に、他者は、フィールドの値を、IPCP Nak中で指定された値に概して設定し、再びIPCP Reqメッセージを送る。
【００８２】
ブロードバンドデバイスが、IPCP Reqメッセージを受信するときにIPアドレスを取得していない事例では、ブロードバンドデバイスがタイマーを開始せず、PCにもIPCP Nakメッセージを返さない場合、RFC1661プロトコルの規定によれば、PCがある期間内にいかなる応答も受信しないとき、PCは再びブロードバンドデバイスにIPCP Reqを送る（これは、ステップ255が繰り返されることと等価である）。ブロードバンドデバイスがずっとIPアドレスを収集しない場合、ステップ255は、PC側がもはやステップ255を実施しなくなるまで、何回も繰り返し実施される。
【００８３】
ステップ257：最初に、ここでは、ブロードバンドデバイスがステップ256においてPCにIPCP Nakメッセージを送り、IPCP Nakメッセージに従ってIPアドレスを収集した後に、PCが再びブロードバンドデバイスにIPCP Reqメッセージを送ると仮定される。
【００８４】
ステップ258：ブロードバンドデバイスは、PCにIPCP Ackメッセージを送る。
【００８５】
P5プロセスにおいて交換されるデータパケットのフォーマットおよびタイプは、IPCPプロトコルなど、関係するプロトコルの規定に完全に準拠する。PPPプロトコルによれば、IPCPプロトコルは別のプロトコルと交換され得る。
【００８６】
この実施形態では、ブロードバンドデバイスがステップ214においてEAP認証コンテンツを削除し、ステップ216においてLCP Ackメッセージ中にEAP認証コンテンツを追加するので、PCとブロードバンドデバイスとの間に認証プロセスがない場合、ブロードバンドデバイスとネットワーク側との間のLCPネゴシエーションは影響を受けない。
【００８７】
PCとブロードバンドデバイスとの間の認証プロセスが実施される必要がある場合、図3に示されているように、PCとブロードバンドデバイスとの間の認証も実施され得る。
【００８８】
図3は、本発明の別の実施形態によるモデムダイヤルアップのための方法におけるPCとブロードバンドデバイスとの間の認証のシグナリングフローチャートである。この実施形態は、図2に示された実施形態と同様であり、違いは、この実施形態のP1プロセスでは、ネゴシエーションプロセス中の認証関係のフィールドが交換される必要があることにある。具体的には、ブロードバンドデバイスが認証コンテンツを削除した後に、LCP Reqメッセージ中にPAPまたはCHAP認証フィールドが追加され、PCによって送られたLCP AckメッセージからPAPまたはCHAP認証フィールドが削除される。その上、この実施形態ではP3プロセスがさらに追加される。
【００８９】
P1プロセスでは、PCは、ブロードバンドデバイスにLCP Reqメッセージを送り、LCP Reqメッセージを受信した後に、ブロードバンドデバイスは、LCP Reqメッセージを、そのLCP Reqメッセージを修正せずにNWに直接転送する。
【００９０】
NWは、LCP Reqメッセージをブロードバンドデバイスに送る。
【００９１】
NWによって送られたLCP Reqメッセージを受信した後に、ブロードバンドデバイスは、LCP ReqメッセージからEAP認証関係のフィールドを除去し、LCP Reqメッセージ中にCHAP認証関係の情報を追加し、次いで、LCP ReqメッセージをPCに転送する。
【００９２】
ブロードバンドデバイスによって転送されたLCP Reqメッセージを受信した後に、PCは、ブロードバンドデバイスにLCP Ackメッセージを送る。同様に、LCP AckメッセージはCHAP認証関係の情報を含む。
【００９３】
PCによって送られたLCP Ackメッセージを受信した後に、ブロードバンドデバイスは、LCP AckメッセージからCHAP認証関係の情報を除去し、LCP Ackメッセージ中にEAP認証フィールドを追加し、次いで、LCP AckメッセージをNWに転送する。
【００９４】
ブロードバンドデバイスによって送られたLCP Reqメッセージを受信した後に、NWは、ブロードバンドデバイスにLCP Ackメッセージを送る。
【００９５】
ブロードバンドデバイスは、LCP Ack NWによって送られたLCP Ackメッセージを修正せずに、LCP AckメッセージをPCに直接転送して、P1プロセスを完了する。
【００９６】
P3プロセスは、具体的には以下を含む。
【００９７】
ステップ331：ブロードバンドデバイスは、PCに認証チャレンジ（Challenge）メッセージを送る。Challengeメッセージは文字ストリングである。プロトコルに従って、文字ストリングを取得した後に、受信者（この実施形態ではPCを具体的に指す）は、特定のアルゴリズムに従って計算を実施して、ステップ332において認証応答（AUTH Response）メッセージのコンテンツを取得する。
【００９８】
Challengeメッセージはまた、ブロードバンドデバイスがPCにLCP Reqメッセージを送るとき、P1プロセスにおいてPCに一緒に送られ得る。
【００９９】
ステップ332：Challengeメッセージを受信した後に、PCは、AUTH Responseメッセージのコンテンツを取得し、AUTH Responseメッセージをブロードバンドデバイスに送る。
【０１００】
ステップ333：ブロードバンドデバイスは、認証が成功することを示すために、PCに認証成功（AUTH Success）メッセージを送る。
【０１０１】
上記のP3プロセスにおいて交換されるデータパケットのフォーマットおよびタイプは、CHAPなど、関係するプロトコルの規定に完全に準拠する。
【０１０２】
PCとブロードバンドデバイスとの間の認証のために、別の様式、例えば、PAP認証様式も選択され得る。どの認証様式が使用されるかにかかわらず、認証はPCとブロードバンドデバイスとの間で実施され、ブロードバンドデバイスが、PC側によってサポートされる認証様式をサポートすることができることのみが必要とされ、PC側によってサポートされる認証様式は変更される必要がない。
【０１０３】
図2および図3に示された実施形態において、P2プロセス、P3プロセス、およびP5プロセスのシーケンスについては要件がない。同様に、P4プロセスおよびP5プロセスのシーケンスについても要件がなく、これらのプロセスは、同時に実施されても、または同時に実施されなくてもよい。
【０１０４】
上記の方法実施形態では、PC側とブロードバンドデバイス側とのモデムドライバは変更されないままであり、ブロードバンドデバイスは、RMインターフェースネゴシエーション（すなわち、ブロードバンドデバイスとPCとの間のLCPネゴシエーション、認証、およびIPCPネゴシエーション）プロセスと、UMインターフェースネゴシエーション（すなわち、ブロードバンドデバイスとネットワーク側との間のLCPネゴシエーション、認証、およびVSNCPネゴシエーション）プロセスとの上で内部変換を実施して、それぞれRMインターフェースネゴシエーションおよびUMインターフェースネゴシエーションを完了し、また、RMインターフェースネゴシエーションとUMインターフェースネゴシエーションとを有機的に組み合わせて、eHRPDネットワークにおけるモデムダイヤルアッププロセス全体を完了し、したがって、ブロードバンドデバイスは、認証プロセスを有しないアクセス様式など、様々な認証様式をフレキシブルで互換的に含むことができ、それにより、PC側とブロードバンドデバイスとの間のフレキシブルな認証が実装される。その上、ブロードバンドデバイスは、ドライバを更新する必要がないが、eHRPDネットワークにおいてモデムダイヤルアップを実施するために、上位レイヤプロトコルレイヤのみを更新する必要がある。PCは、VSNCPプロトコルをサポートする必要もドライバを更新する必要もなしに、eHRPDネットワークにおいてモデムダイヤルアップを実施することができる。すなわち、モデムダイヤルアップのみをサポートするブロードバンドデバイス、またはNDISダイヤルアップとモデムダイヤルアップの両方をサポートする製品のいずれについても、PC側は、プロトコルをアップグレードする（すなわち、VSNCPをサポートする）必要がなく、特定のドライバをインストールする必要もなく、eHRPDネットワークにおいてモデムダイヤルアップを実施するためにブロードバンドデバイス側上でプログラム最適化が実施される必要のみがある。このようにして、製品がマーケット中に存在するかまたはユーザによって保持される場合、それは、最適化されたソフトウェアのみをブロードバンドデバイス中にアップグレードする必要があり、それにより、製品の互換性が保護され、製品の共通性が保証される。さらに、それが新規に開発されたブロードバンドデバイスである場合、ユーザは、いかなる処理も伴わずにeHRPDネットワーク中でモデムダイヤルアップを実施することができる。これは望ましいユーザエクスペリエンスをユーザにもたらすことができ、それにより、製品のマーケット競争が改善される。ネットワークがより完全に使用され、操作者の既存の投資が保護され、経済的利益が操作者にもたらされるように、eHRPDネットワークの適用シナリオはさらに拡張される。
【０１０５】
図4は、本発明の別の実施形態によるモデムダイヤルアップのためのブロードバンドデバイスの概略構造図である。この実施形態で説明するブロードバンドデバイスは、図1に示された実施形態において提供された方法を実装するために使用され、
ワイヤレスネットワーク側デバイスの第1のリンク制御プロトコル（LCP）要求メッセージを受信するように受信機を制御するように構成され、受信機によって受信された第1のLCP要求メッセージを第1のフィールド処理ユニット42に送る、要求受信ユニット41と、
要求受信ユニット41によって送られた第1のLCP要求メッセージの拡張認証プロトコル（EAP）認証フィールドを、ダイヤルアップ端末によってサポートされる認証フィールドに処理する、第1のフィールド処理ユニット42と、
第1のフィールド処理ユニット42によって処理された第1のLCP要求メッセージをダイヤルアップ端末に送るように送信機を制御する、要求送信ユニット43と、
ダイヤルアップ端末によって返された第1のLCP応答メッセージを受信するように受信機を制御するように構成され、受信機によって受信された第1のLCP応答メッセージを第2のフィールド処理ユニットに送る、肯定応答受信ユニット44と、
肯定応答受信ユニット44によって送られた第1のLCP応答メッセージの認証フィールドを、ワイヤレスネットワーク側デバイスによってサポートされる認証フィールドに処理する、第2のフィールド処理ユニット45と、
第2のフィールド処理ユニット45によって処理された第1のLCP応答メッセージをワイヤレスネットワーク側デバイスに送るように送信機を制御する、肯定応答送信ユニット46と、
ワイヤレスネットワーク側デバイスからインターネットプロトコル（IP）アドレスを収集する、アドレス収集ユニット47と、
アドレス収集ユニット47によって収集されたIPアドレスをダイヤルアップ端末に送るように送信機を制御する、アドレス送信ユニット48と
を含む。
【０１０６】
例示的には、
第1のフィールド処理ユニット42は、EAP認証フィールドを削除するように特に構成され、
第2のフィールド処理ユニット45は、EAP認証フィールドを第1のLCP応答メッセージ中に追加するように特に構成される。
【０１０７】
代替的に、
第1のフィールド処理ユニット42は、EAP認証フィールドをパスワード認証プロトコル（PAP）またはチャレンジハンドシェイク認証プロトコル（CHAP）認証フィールドと交換するように特に構成され、
第2のフィールド処理ユニット45は、第1のLCP応答メッセージ中のPAPまたはCHAP認証フィールドをEAP認証フィールドと交換するように特に構成され、第1のLCP応答メッセージはダイヤルアップ端末によって返される。
【０１０８】
さらに、本発明のこの実施形態において提供されるブロードバンドデバイスは、
肯定応答送信ユニット46が、処理された第1のLCP応答メッセージをワイヤレスネットワーク側デバイスに送るように送信機を制御した後に、第1の肯定応答メッセージ中の処理された認証フィールドに従ってブロードバンドデバイスとワイヤレスネットワーク側デバイスとの間でEAP認証を実施する、認証ユニットをさらに含み得、
アドレス収集ユニット47は、認証ユニットがブロードバンドデバイスとワイヤレスネットワーク側デバイスとの間でEAP認証を完了した後に、インターネットプロトコル（IP）アドレスを収集するためにワイヤレスネットワーク側デバイスとのVSNPネゴシエーションを実施するようにさらに構成される。
【０１０９】
例示的には、アドレス送信ユニット48は、ダイヤルアップ端末とともにインターネットプロトコルIP制御プロトコルIPCPを使用することによってIPアドレスをダイヤルアップ端末に送るように送信機を制御するように特に構成される。
【０１１０】
図5は、本発明の別の実施形態によるモデムダイヤルアップのためのブロードバンドデバイスの概略構造図である。この実施形態で説明するブロードバンドデバイスは、図1に示された実施形態において提供された方法を実装するために使用され、受信機51と、プロセッサ52と、送信機53とを含む。
【０１１１】
受信機51は、プロセッサ52の制御下で、ワイヤレスネットワーク側デバイスの第1のリンク制御プロトコル（LCP）要求メッセージと、ダイヤルアップ端末によって返された第1のLCP応答メッセージとを受信するように構成される。
【０１１２】
プロセッサ52は、受信機51によって受信された第1のLCP要求メッセージの拡張認証プロトコルEAP認証フィールドを、ダイヤルアップ端末によってサポートされる認証フィールドに処理することと、処理された第1のLCP要求メッセージをダイヤルアップ端末に送るように送信機53を制御することとを行うように構成される。
【０１１３】
プロセッサ52は、受信機51によって受信された第1のLCP応答メッセージの認証フィールドを、ワイヤレスネットワーク側デバイスによってサポートされる認証フィールドに処理することと、処理された第1のLCP応答メッセージをワイヤレスネットワーク側デバイスに送るように送信機53を制御することとを行うようにさらに構成される。
【０１１４】
プロセッサ52は、ワイヤレスネットワーク側デバイスからインターネットプロトコルIPアドレスを収集することと、送信機53によって収集されたIPアドレスをダイヤルアップ端末に送るように送信機53を制御することとを行うようにさらに構成される。
【０１１５】
例示的には、
プロセッサ52は、EAP認証フィールドを削除するように特に構成され得、
プロセッサ52は、EAP認証フィールドを第1のLCP応答メッセージ中に追加するように特に構成され得る。
【０１１６】
代替的に、
プロセッサ52は、EAP認証フィールドをパスワード認証プロトコル（PAP）またはチャレンジハンドシェイク認証プロトコル（CHAP）認証フィールドと交換するように特に構成され得、
プロセッサ52は、第1のLCP応答メッセージ中のPAPまたはCHAP認証フィールドをEAP認証フィールドと交換するように特に構成され得、第1のLCP応答メッセージはダイヤルアップ端末によって返される。
【０１１７】
さらに、プロセッサ52は、処理された第1のLCP応答メッセージをワイヤレスネットワーク側デバイスに送るように送信機53が制御された後に、第1の肯定応答メッセージ中の処理された認証フィールドに従ってブロードバンドデバイスとワイヤレスネットワーク側デバイスとの間でEAP認証を実施するようにさらに構成される。
【０１１８】
プロセッサ52は、ブロードバンドデバイスとワイヤレスネットワーク側デバイスとの間のEAP認証が完了した後に、インターネットプロトコル（IP）アドレスを収集するためにワイヤレスネットワーク側デバイスとのVSNPネゴシエーションを実施するようにさらに構成される。
【０１１９】
例示的には、トランシーバ51は、ダイヤルアップ端末とともにインターネットプロトコルIP制御プロトコルIPCPを使用することによってIPアドレスをダイヤルアップ端末に送るように送信機53を制御するように特に構成され得る。
【０１２０】
本発明の一実施形態は、コンピュータプログラム製品をさらに提供する。コンピュータプログラム製品はコンピュータ可読媒体を含む。可読媒体はプログラムコードの第1のセットを含み、このプラグラムコードは、図1に示された方法のステップ、
ワイヤレスネットワーク側デバイスの第1のリンク制御プロトコル（LCP）要求メッセージを受信するステップと、
第1のLCP要求メッセージの拡張認証プロトコル（EAP）認証フィールドを、ダイヤルアップ端末によってサポートされる認証フィールドに処理するステップと、
処理された第1のLCP要求メッセージをダイヤルアップ端末に送るステップと、
ダイヤルアップ端末によって返された第1のLCP応答メッセージを受信するステップと、
第1のLCP応答メッセージの認証フィールドを、ワイヤレスネットワーク側デバイスによってサポートされる認証フィールドに処理するステップと、
処理された第1のLCP応答メッセージをワイヤレスネットワーク側デバイスに送るステップと、
ワイヤレスネットワーク側デバイスからインターネットプロトコルIPアドレスを収集するステップと、IPアドレスをダイヤルアップ端末に送るステップと
を実行するために使用される。
【０１２１】
場合によっては、第1のLCP要求メッセージのEAP認証フィールドを、ダイヤルアップ端末によってサポートされる認証フィールドに処理するステップは、
EAP認証フィールドを削除するステップを含み、
第1のLCP応答メッセージの認証フィールドを、ワイヤレスネットワーク側デバイスによってサポートされる認証フィールドに処理するステップは、
EAP認証フィールドを第1の応答メッセージ中に追加するステップを含む。
【０１２２】
場合によっては、第1のLCP要求メッセージのEAP認証フィールドを、ダイヤルアップ端末によってサポートされる認証フィールドに処理するステップは、
EAP認証フィールドをパスワード認証プロトコル（PAP）またはチャレンジハンドシェイク認証プロトコル（CHAP）認証フィールドと交換するステップを含み、
第1のLCP応答メッセージの認証フィールドを、ワイヤレスネットワーク側デバイスによってサポートされる認証フィールドに処理するステップは、
第1のLCP応答メッセージ中のPAPまたはCHAP認証フィールドをEAP認証フィールドと交換するステップを含み、第1のLCP応答メッセージはダイヤルアップ端末によって返される。
【０１２３】
場合によっては、ワイヤレスネットワーク側デバイスからインターネットプロトコルIPアドレスを収集するステップは、第1の肯定応答メッセージ中の処理された認証フィールドに従ってブロードバンドデバイスとワイヤレスネットワーク側デバイスとの間でEAP認証を実施するステップと、
ブロードバンドデバイスとワイヤレスネットワーク側デバイスとの間のEAP認証が完了した後に、インターネットプロトコル（IP）アドレスを収集するためにワイヤレスネットワーク側デバイスとのVSNPネゴシエーションを実施するステップとを含む。
【０１２４】
場合によっては、IPアドレスをダイヤルアップ端末に送るステップは、
ダイヤルアップ端末とともにインターネットプロトコルIP制御プロトコルIPCPを使用することによってIPアドレスをダイヤルアップ端末に送るステップを含む。
【０１２５】
当業者は、上記の方法実施形態のステップの全部または一部が、関連するハードウェアに命令するプログラムによって実装され得ることを理解されよう。上記のプログラムはコンピュータ可読記憶媒体に記憶され得る。プログラムが動作すると、上記の方法実施形態のステップが実施される。上記の記憶媒体は、ROM、RAM、磁気ディスク、または光ディスクなど、プログラムコードを記憶することができる任意の媒体を含む。
【０１２６】
最後に、上記の実施形態は、本発明を限定するためではなく、本発明の技術的解決策について説明するためのものにすぎないものであることに留意されたい。本発明について、上記の実施形態に関して詳細に説明したが、当業者は、上記の実施形態で説明した技術的解決策に修正をさらに加えるか、あるいはそれらの一部または全部の技術的特徴と等価な置換を製作し得ることを理解されたい。ただし、これらの修正または置換は、対応する技術的解決策の本質を作るものではなく、本発明の実施形態における技術的解決策の範囲から逸脱する。
【符号の説明】
【０１２７】
41  要求受信ユニット
42  フィールド処理ユニット
43  要求送信ユニット
44  肯定応答受信ユニット
45  フィールド処理ユニット
46  肯定応答送信ユニット
47  アドレス収集ユニット
48  アドレス送信ユニット
51  受信機
52  プロセッサ
53  送信機
【図１】
2016525855.tif 000003
【図２】
2016525855.tif 000004
【図３】
2016525855.tif 000005
【図４】
2016525855.tif 000006
【図５】
2016525855.tif 000007
【国際調査報告】
2016525855.tif 000008
2016525855.tif 000009
2016525855.tif 000010
2016525855.tif 000011